(57)【要約】      （修正有）【課題】各監視項目についてモニタ上に表示されているセンシング値と当該監視項目の基準値との照合作業を支援できるようにすることである。【解決手段】監視項目となるプラントの各部と当該各部に対応するセンシング値とを対応付けて予め決められた体系で表示装置に表示し、引き継ぎ業務実行指定に従い（ステップＳ１０４のＹ）、記憶部に記憶されている監視項目と基準値のデータとを対応付けた組データを取得し、取得した組データを予め決められた体系に沿った順番で音声出力装置に入力して当該音声出力装置に当該組データに応じた音声出力、つまり読み上げを実行させ（ステップＳ１０７、ステップＳ１１１、ステップＳ１１５）、音声出力の完了後、操作装置によって確認指定の操作入力ができるようにした（ステップＳ１１９）。【選択図】図５
2007272521.tif 000002
【特許請求の範囲】
【請求項１】
情報を操作入力する操作装置と、
情報を表示する表示装置と、
入力されたデータに応じた音声を合成する音声合成回路とこの音声合成回路が合成した音声を出力するスピーカとを有する音声出力装置と、
プラントの各部の状態を検知するセンサの出力信号に基づくセンシングデータを取り込む手段と、
前記プラントの各部と当該各部に対応する前記取り込んだセンシングデータに基づくセンシング値とを対応付けて予め決められた体系で前記表示装置に表示する手段と、
前記操作装置による引き継ぎ業務実行指定に従い、情報を記憶する記憶部にアクセスし、当該記憶部に記憶されている前記プラントの各部と当該各部についての基準値のデータとを対応付けた組データを取得する手段と、
前記操作装置による引き継ぎ業務実行指定に従い、前記取得した組データを前記予め決められた体系に沿った順番で前記音声出力装置に入力し、当該音声出力装置に当該組データに応じた音声出力を実行させる手段と、
前記音声出力装置による前記組データに応じた音声出力の完了後、前記操作装置による確認指定の操作入力を許容する手段と、
を具備するプラント監視業務引き継ぎ支援装置。
【請求項２】
前記表示装置の一画面に収まりきらないセンシング値を順に表示するように前記表示装置の表示を状態遷移させる手段と、
前記音声出力装置による音声出力を前記表示装置の表示の状態遷移に同期させる手段と、
を具備する請求項１記載のプラント監視業務引き継ぎ支援装置。
【請求項３】
前記音声出力装置による音声出力に同期させて前記表示装置に表示されているセンシング値を強調表示する手段を具備する、請求項１又は２記載のプラント監視業務引き継ぎ支援装置。
【請求項４】
前記操作装置からの入力に応じて前記表示装置にセンシング値を表示する前記プラントの各部を指示表示する手段と、
前記操作装置による停止指示に応じて前記音声出力装置による音声出力を停止させる手段と、
前記操作装置による再開指示に応じて前記指示表示された前記プラントの各部のセンシング値から前記音声出力装置による音声出力を再開させる手段と、
を具備する請求項１ないし３のいずれか一記載のプラント監視業務引き継ぎ支援装置。
【請求項５】
前記確認指定の操作入力があった場合、情報を記憶する記憶部にアクセスして当該記憶部に記憶されているオペレータ日誌を呼び出し、前記操作装置による当該オペレータ日誌への記入を許容する手段を更に具備する、請求項１ないし４のいずれか一記載のプラント監視業務引き継ぎ支援装置。
【請求項６】
情報を操作入力する操作装置と、情報を表示する表示装置と、入力されたデータに応じた音声を合成する音声合成回路とこの音声合成回路が合成した音声を出力するスピーカとを有する音声出力装置と、を具備するコンピュータ構成のプラント監視業務引き継ぎ支援装置が、そのコンピュータ機能によって、
プラントの各部の状態を検知するセンサの出力信号に基づくセンシングデータを取り込む工程と、
前記プラントの各部と当該各部に対応する前記取り込んだセンシングデータに基づくセンシング値とを対応付けて予め決められた体系で前記表示装置に表示する工程と、
前記操作装置による引き継ぎ業務実行指定に従い、情報を記憶する記憶部にアクセスし、当該記憶部に記憶されている前記プラントの各部と当該各部についての基準値のデータとを対応付けた組データを取得する工程と、
前記操作装置による引き継ぎ業務実行指定に従い、前記取得した組データを前記予め決められた体系に沿った順番で前記音声出力装置に入力し、当該音声出力装置に当該組データに応じた音声出力を実行させる工程と、
前記音声出力装置による前記組データに応じた音声出力の完了後、前記操作装置による確認指定の操作入力を許容する工程と、
前記確認指定の操作入力があった場合、情報を記憶する記憶部にアクセスして当該記憶部に記憶されているオペレータ日誌を呼び出し、前記操作装置による当該オペレータ日誌への記入を許容する工程と、
を実行するプラント監視業務引き継ぎ支援方法。
【請求項７】
情報を操作入力する操作装置と、情報を表示する表示装置と、入力されたデータに応じた音声を合成する音声合成回路とこの音声合成回路が合成した音声を出力するスピーカとを有する音声出力装置と、を具備するコンピュータにインストールされ、当該コンピュータに、
プラントの各部の状態を検知するセンサの出力信号に基づくセンシングデータを取り込む機能と、
前記プラントの各部と当該各部に対応する前記取り込んだセンシングデータに基づくセンシング値とを対応付けて予め決められた体系で前記表示装置に表示する機能と、
前記操作装置による引き継ぎ業務実行指定に従い、情報を記憶する記憶部にアクセスし、当該記憶部に記憶されている前記プラントの各部と当該各部についての基準値のデータとを対応付けた組データを取得する機能と、
前記操作装置による引き継ぎ業務実行指定に従い、前記取得した組データを前記予め決められた体系に沿った順番で前記音声出力装置に入力し、当該音声出力装置に当該組データに応じた音声出力を実行させる機能と、
前記音声出力装置による前記組データに応じた音声出力の完了後、前記操作装置による確認指定の操作入力を許容する機能と、
前記確認指定の操作入力があった場合、情報を記憶する記憶部にアクセスして当該記憶部に記憶されているオペレータ日誌を呼び出し、前記操作装置による当該オペレータ日誌への記入を許容する機能と、
を実行させるプラント監視業務引き継ぎ支援用コンピュータプログラム。
【発明の詳細な説明】
【技術分野】
【０００１】
本発明は、例えば発電設備等のようなプラントの各部についてのセンシング値を読み上げることで、プラント監視業務の引き継ぎを支援するプラント監視業務引き継ぎ支援装置に関する。
【背景技術】
【０００２】
各種の発電設備等のようなプラントでは、プラントの各部について監視が必要である。監視は、一般的には、プラントの各部のセンシング値をモニタ上で確認することにより行なわれる。このような監視は、２４時間体制で稼働するプラントであれば、当然のことながら、２４時間体制で行なわなければならない。そこで、例えば３交代制が採用される。
【０００３】
監視業務を遂行する監視者が交代する際、それまで監視業務に従事していた監視者は、プラントの各部の状態、つまりプラントの各部のセンシング値を最終確認する。そして、この最終確認の結果も踏まえた各自の担当時間における各種事象を次の監視者に伝達する。そのためのツールとして、従来、日誌（オペレータ日誌）が広く用いられている。このような日誌は、過日においては文字通りの手書き日誌の形態で利用されていたのに対して、情報処理技術の普及に伴い、今日においては電子文書の形態で入力及び保存が可能となっているのが一般的である。
【０００４】
【特許文献１】特開平１１−２０２９３４号公報
【発明の開示】
【発明が解決しようとする課題】
【０００５】
プラントの各部のセンシング値が正常であるか異常であるかは、当該各部の基準値との比較を通じて把握される。このため、そのような基準値をまとめたリストを用意しておき、センシング値が正常であるか異常であるかの判断に役立てるようにしている。この場合、習熟した監視者であれば、そのようなリストを参照するまでもなくモニタ上に表示されたセンシング値の正常異常を円滑に判定することができよう。ところが、監視業務に習熟していない監視者にとっては、モニタ上に表示されているセンシング値とリストに記載されている基準値とを照合させなければ適正な判定をなすことができず、その作業は容易でないという問題がある。これが第一の問題である。
【０００６】
また、プラントの各部の監視は、前述したように、プラントの各部のセンシング値をモニタ上で確認することにより行なうのが一般的である。そこで、監視者の交代に際しては、それまで監視業務を遂行していた監視者がプラントの各部のセンシング値をモニタ上で最終確認する。ところが、この業務は、予め定められた順番に並べられた数値を順に目で追って行なうものであるため、監視漏れが発生し易いという問題がある。これが第二の問題である。
【０００７】
特許文献１には、プラント監視業務の引き継ぎ支援を対象とした内容ではないが、プラントに関する警報を文字列としてディスプレイ上に表示し、監視者がディスプレイ上の文字列を読み上げた際の音声を入力し、入力された音声とディスプレイ上に表示された文字列とが一致した場合に、警報が監視者に正しく認識されたと判定するプラント監視装置が開示されている。
【０００８】
そこで、特許文献１に記載されたような技術をプラント監視業務の引き継ぎ業務に適用することが考えられる。つまり、それまで監視業務を遂行していた監視者がモニタに表示されるプラントの各部のセンシング値を読み上げ、モニタ上の表示と一致する場合には監視者に正しく認識されたと判定するようにするわけである。このようにすることで、少なくとも全ての監視項目についてのセンシング値を監視者にくまなく読み上げさせることができ、各センシング値について監視者が認識したとの推定をすることができよう。したがって、第二の問題として前述した監視漏れに対して、一つの解決策が提供される。
【０００９】
但し、第二の問題として前述した監視漏れに対する一つの解決策が提供されるとはいっても、監視者がセンシング値を読み上げなければならなくなるので、そのための作業に伴う疲労を誘発するという新たな問題が浮上する。
【００１０】
また、特許文献１に記載されたような技術をプラント監視業務の引き継ぎ業務に適用したとしても、各監視項目についてモニタ上に表示されているセンシング値と当該監視項目の基準値との照合作業を支援できるわけではない。このため、前述した第一の問題については、依然、解決策が与えられない。
【００１１】
本発明の目的は、各監視項目についてモニタ上に表示されているセンシング値と当該監視項目の基準値との照合作業を支援できるようにすることである。
【課題を解決するための手段】
【００１２】
本発明は、プラント監視業務引き継ぎ支援装置であって、情報を操作入力する操作装置と、情報を表示する表示装置と、入力されたデータに応じた音声を合成する音声合成回路とこの音声合成回路が合成した音声を出力するスピーカとを有する音声出力装置と、プラントの各部の状態を検知するセンサの出力信号に基づくセンシングデータを取り込む手段と、前記プラントの各部と当該各部に対応する前記取り込んだセンシングデータに基づくセンシング値とを対応付けて予め決められた体系で前記表示装置に表示する手段と、前記操作装置による引き継ぎ業務実行指定に従い、情報を記憶する記憶部にアクセスし、当該記憶部に記憶されている前記プラントの各部と当該各部についての基準値のデータとを対応付けた組データを取得する手段と、前記操作装置による引き継ぎ業務実行指定に従い、前記取得した組データを前記予め決められた体系に沿った順番で前記音声出力装置に入力し、当該音声出力装置に当該組データに応じた音声出力を実行させる手段と、前記音声出力装置による前記組データに応じた音声出力の完了後、前記操作装置による確認指定の操作入力を許容する手段と、前記確認指定の操作入力があった場合、情報を記憶する記憶部にアクセスして当該記憶部に記憶されているオペレータ日誌を呼び出し、前記操作装置による当該オペレータ日誌への記入を許容する手段と、を具備する。
【００１３】
別の面から見た本発明は、プラント監視業務引き継ぎ支援方法であって、情報を操作入力する操作装置と、情報を表示する表示装置と、入力されたデータに応じた音声を合成する音声合成回路とこの音声合成回路が合成した音声を出力するスピーカとを有する音声出力装置と、を具備するコンピュータ構成のプラント監視業務引き継ぎ支援装置が、そのコンピュータ機能によって、プラントの各部の状態を検知するセンサの出力信号に基づくセンシングデータを取り込む工程と、前記プラントの各部と当該各部に対応する前記取り込んだセンシングデータに基づくセンシング値とを対応付けて予め決められた体系で前記表示装置に表示する工程と、前記操作装置による引き継ぎ業務実行指定に従い、情報を記憶する記憶部にアクセスし、当該記憶部に記憶されている前記プラントの各部と当該各部についての基準値のデータとを対応付けた組データを取得する工程と、前記操作装置による引き継ぎ業務実行指定に従い、前記取得した組データを前記予め決められた体系に沿った順番で前記音声出力装置に入力し、当該音声出力装置に当該組データに応じた音声出力を実行させる工程と、前記音声出力装置による前記組データに応じた音声出力の完了後、前記操作装置による確認指定の操作入力を許容する工程と、前記確認指定の操作入力があった場合、情報を記憶する記憶部にアクセスして当該記憶部に記憶されているオペレータ日誌を呼び出し、前記操作装置による当該オペレータ日誌への記入を許容する工程と、を実行する。
【００１４】
更に別の面から見た本発明は、プラント監視業務引き継ぎ支援用コンピュータプログラムであって、情報を操作入力する操作装置と、情報を表示する表示装置と、入力されたデータに応じた音声を合成する音声合成回路とこの音声合成回路が合成した音声を出力するスピーカとを有する音声出力装置と、を具備するコンピュータにインストールされ、当該コンピュータに、プラントの各部の状態を検知するセンサの出力信号に基づくセンシングデータを取り込む機能と、前記プラントの各部と当該各部に対応する前記取り込んだセンシングデータに基づくセンシング値とを対応付けて予め決められた体系で前記表示装置に表示する機能と、前記操作装置による引き継ぎ業務実行指定に従い、情報を記憶する記憶部にアクセスし、当該記憶部に記憶されている前記プラントの各部と当該各部についての基準値のデータとを対応付けた組データを取得する機能と、前記操作装置による引き継ぎ業務実行指定に従い、前記取得した組データを前記予め決められた体系に沿った順番で前記音声出力装置に入力し、当該音声出力装置に当該組データに応じた音声出力を実行させる機能と、前記音声出力装置による前記組データに応じた音声出力の完了後、前記操作装置による確認指定の操作入力を許容する機能と、前記確認指定の操作入力があった場合、情報を記憶する記憶部にアクセスして当該記憶部に記憶されているオペレータ日誌を呼び出し、前記操作装置による当該オペレータ日誌への記入を許容する機能と、を実行させる。
【発明の効果】
【００１５】
本発明によれば、プラントの各部である各監視項目について、表示装置にそのセンシング値を表示して音声合成回路によってその基準値を読み上げることができるので、各監視項目のセンシング値と基準値との照合作業を支援することができ、したがって、監視者の作業負担を和らげることができる。また、センシング値を読み上げなければならない等の作業負担を監視者に負わせないようにすることができるので、この面からも監視者の作業負担を和らげることができる。そして、監視者の作業負担の軽減は、結果的に、監視漏れ等のミスの軽減という効果を生じさせる。
【発明を実施するための最良の形態】
【００１６】
本発明の実施の一形態を図１ないし図１２に基づいて説明する。
【００１７】
図１は、本発明の実施の一形態を示すプラント監視業務引き継ぎ支援装置及びその周辺機器のブロック図である。例えば火力発電設備等の図示しないプラントを制御する制御装置１０１が設けられている。この制御装置１０１は、プラントを構成する各部を駆動制御し、駆動制御される各部の稼働状態をセンシングする。そのために、制御装置１０１には、プラントを構成する各部を駆動制御するためのアクチュエータ１０２及びモータ１０３が接続され、駆動制御される各部の稼働状態をセンシングするためのセンサ１０４が接続されている。
【００１８】
制御装置１０１に駆動制御されるプラントの状態は、監視装置１０５によって監視可能に構成されている。監視装置１０５は、コンピュータ構成の演算装置１０６に操作装置としての操作盤１０７と表示装置として表示盤１０８、そして音声出力装置１０９が接続されて構成されている。
【００１９】
演算装置１０６は、コンピュータ構成であるが故に、情報処理部１０６ａと記憶部１０６ｂとを基本構成として有している。このような演算装置１０６は、集積回路化したファームウェア構成のものであっても良く、例えばＨＤＤ等にコンピュータプログラムを自由にインストールすることができてインストールされたコンピュータプログラムを例えばＲＡＭ等にコピーしてＣＰＵがＲＡＭ等にコピーしたコンピュータプログラムに従った処理を実行する構成のものであっても良い。
【００２０】
操作盤１０７は、演算装置１０６に情報を入力する構造を有している。より詳細には、操作盤１０７は、キーボード、各種操作ボタン、ポインティングデバイス、タッチパネル等から構成することができ、押下されたりクリックされたりタッチされたりすることによって、対応する信号を演算装置１０６に出力する。
【００２１】
表示盤１０８は、演算装置１０６に駆動制御されて情報を表示出力する構造を有している。表示盤１０８は、ＣＲＴディスプレイ、液晶ディスプレイ等によって構成することができる。
【００２２】
音声出力装置１０９は、音声合成回路をなす音声合成ＬＳＩ１１０を有しており、入力されたデータに応じた音声を音声合成ＬＳＩ１１０によって合成し、合成した音声をデジタルアナログ変換器１１１でアナログ信号化し、これを増幅器１１２で増幅してスピーカ１１３から音声出力させる構造を有している。
【００２３】
図２は、記憶部１０６ｂに記憶されているプラント（ボイラ）の各部についての基準値のデータを例示する模式図、図３は、記憶部１０６ｂに記憶されているプラント（タービン）の各部についての基準値のデータを例示する模式図、図４は、記憶部１０６ｂに記憶されているプラント（電気系）の各部についての基準値のデータを例示する模式図である。
【００２４】
図２〜図４に示す各部の基準データは、基準データファイル２０１の形態で記憶部１０６ｂに記憶されている。基準データファイル２０１は、プラントの各部を特定する識別コード２０１ａに当該各部の名称を表現するテキストデータ２０１ｂと基準値２０１ｃとを対応付けて記憶している。本実施の形態の場合、プラントとして火力発電設備を想定している。それ故に、一例ではあるが、基準データファイル２０１は、４００ＭＷ時、３００ＭＷ時、２００ＭＷ時、１２０ＭＷ時におけるそれぞれの基準値を保持している。
【００２５】
図５は、表示盤１０８に表示されるプラント（ボイラ）の各部のセンシング値の表示例（その一）を示す模式図である。図６は、表示盤１０８に表示されるプラント（ボイラ）の各部のセンシング値の表示例（その二）を示す模式図である。図７は、表示盤１０８に表示されるプラント（タービン）の各部のセンシング値の表示例（その一）を示す模式図である。図８は、表示盤１０８に表示されるプラント（タービン）の各部のセンシング値の表示例（その二）を示す模式図である。図９は、表示盤１０８に表示されるプラント（電気系）の各部のセンシング値の表示例を示す模式図である。
【００２６】
演算装置１０６は、その記憶部１０６ｂに、各種処理（例えば、後述する図１０及び図１１に示すフローチャートの処理等）を情報処理部１０６ａに実行させるコンピュータプログラムを記憶している。そこで、情報処理部１０６ａは、記憶部１０６ｂに記憶されているコンピュータプログラムに従い各種処理を実行する。演算装置１０６が実行する基本処理は、プラントである火力発電設備の各部の状態を検知するセンサ１０４の出力信号に基づくセンシングデータを制御装置１０１から取得して取り込む処理、及び、プラントの各部と当該各部に対応する取り込んだセンシングデータに基づくセンシング値とを対応付けて予め決められた体系で表示盤１０８に表示する処理である。その結果、表示盤１０８には、図５〜図９に例示するような監視画面３０１が表示される。そして、図５〜図９を参照することで明らかなように、監視画面３０１には、プラントの各部を特定する識別コード３０１ａに当該各部の名称３０１ｂとセンシング値３０１ｃとが対応付けて表示されている。これが、「予め決められた体系」である。そして、このような予め決められた体系の基礎をなすデータ（識別コード３０１ａ及び名称３０１ｂ）は、図２〜図４に示す基準データファイル２０１中の識別コード２０１ａ及びテキストデータ２０１ｂから引用されている。また、監視画面３０１には、稼動中のプラントの現在における出力値３０１ｄも表示されている。
【００２７】
監視者は、表示盤１０８に表示される監視画面３０１を参照することで、識別コード３０１ａ及び名称３０１ｂによって特定されるプラントの各部についてのセンシング値３０１ｃを参照することができる。そして、センシング値に基づいて、プラントの稼働状況の正常異常を判断することが可能となる。
【００２８】
火力発電所等のプラントは、通常、３交代制を採用することが多い。このため、監視者の交代業務が発生する。交代業務は、いままでの監視者から次の監視者への監視業務の引き継ぎが中心となる。本実施の形態の監視装置１０５は、このような監視業務の引き継ぎを支援する。以下、監視装置１０５が実行する監視業務の引き継ぎ支援について説明する。
【００２９】
図１０は、演算装置１０６が実行する引き継ぎ支援処理の流れを示すフローチャートである。前述したように、演算装置１０６は、その記憶部１０６ｂに、図１０に示すフローチャートの処理を情報処理部１０６ａに実行させるコンピュータプログラムを記憶している。そこで、情報処理部１０６ａは、記憶部１０６ｂに記憶されているコンピュータプログラムに従い図１０に示すフローチャートの処理を実行する。
【００３０】
まず、監視装置１０５は、操作盤１０７に、引き継ぎ指定、引き継ぎ業務実行指定、了解指定、スキップ指定、確認指定、停止指定、再開指定の操作入力を許容する。一例として、引き継ぎ指定の操作入力は引き継ぎ指定ボタン、引き継ぎ業務実行指定の操作入力は引き継ぎ実行ボタン、了解指定の操作入力は了解ボタン、スキップ指定の操作入力はスキップボタン、確認指定の操作入力は確認ボタン、停止指定は停止ボタン、再開指定は再開ボタン（全て図示せず）の押下、クリック、タッチ等によって実現される。押下はキーボード、クリックはマウス等のポインティングデバイス、タッチはタッチパネルによるタッチ指定を意図している。
【００３１】
そこで、監視装置１０５が有する演算装置１０６は、操作盤１０７によって引き継ぎ指定の操作入力があったことを判定すると（ステップＳ１０１）、引き継ぎ用項目を抽出する処理を実行する（ステップＳ１０２）。引き継ぎ用項目というのは、ボイラ、タービン及び電気についての図２〜図４に示す基準データファイル２０１のデータ、より詳細には識別コード２０１ａ、テキストデータ２０１ｂ及び基準値２０１ｃである。換言すると、プラントの各部と当該各部についての基準値のデータとを対応付けた組データである。
【００３２】
その後、演算装置１０６は、表示盤１０８に引き継ぎ初期画面表示（図示せず）を表示させる（ステップＳ１０３）。
【００３３】
そして、演算装置１０６は、引き継ぎ業務実行指定があったかどうか、つまり、操作盤１０７上で引き継ぎ実行ボタンが押下、クリック、タッチされたかどうかを判定する（ステップＳ１０４）。判定の結果、引継ぎ業務実行指定があったと判定した場合（ステップＳ１０４のＹ）、演算装置１０６は、音声出力装置１０９を駆動制御し、ボイラ項目の確認をする旨の音声報知を実行させる（ステップＳ１０５）。この処理は、ボイラ項目の確認をする旨のテキストデータ、例えば、「ボイラの確認をしてください」等のテキストデータを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、例えば、「ボイラの確認をしてください」という音声がスピーカ１１３から出力される。
【００３４】
そのような音声、前述した例でいうと「ボイラの確認をしてください」という音声に応じて、引き継ぎをしようとする監視者は、操作盤１０７によって了解指定をする（ステップＳ１０６）。つまり、操作盤１０７の了解ボタンを押下、クリック、タッチする。演算装置１０６は、そのような了解指定ありを判定すると（ステップＳ１０６のＹ）、ステップＳ１０２で抽出した引き継ぎ用項目のうち、ボイラについての図２〜図４に示す基準データファイル２０１のデータに基づく音声読み上げを実行する（ステップＳ１０７）。音声読み上げは、演算装置１０６が、基準データファイル２０１に含まれているボイラについてのテキストデータ２０１ｂ及び基準値２０１ｃを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、ボイラの各部の項目名に続いてその基準値が読み上げられることになる。
【００３５】
しかも、演算装置１０６は、ステップＳ１０７の音声読み上げ処理に際して、音声出力装置１０９による音声出力に同期させて、表示盤１０８に表示されているセンシング値を強調表示する処理を実行する。つまり、音声出力装置１０９によって読み上げられている監視項目が、表示盤１０８の表示化面上で強調表示されるわけである。強調表示は、例えば他の監視項目と色を変える、太さを変える、点滅させる、アンダーラインを引く等、公知の各種の手法によって実行することができる。
【００３６】
そこで、引継ぎをしようとする監視者は、音声出力装置１０９が音声出力するボイラについての各項目の基準値を耳で聞き、表示盤１０８に表示されているボイラについての各項目のセンシング値（図５（ａ）〜（ｄ）及び図６（ａ）〜（ｆ）参照）を目で見て、基準値とセンシング値とを照合させることができる。
【００３７】
これに対して、監視者は、ボイラの各部のセンシング値の確認作業を自力で行なう等の理由で、ボイラについての基準値の読み上げが不要であると思えば、ステップＳ１０５のボイラ項目の確認をする旨の音声報知の実行後、操作盤１０７上でスキップボタンを押下する。これにより、演算装置１０６はスキップ指定を判定し（ステップＳ１０９のＹ）、ステップＳ１０７の読み上げ処理をスキップする。
【００３８】
ステップＳ１０７又はステップＳ１０８に続いて演算装置１０６が実行する処理は、音声出力装置１０９を駆動制御し、タービン項目の確認をする旨の音声報知を実行させる処理である（ステップＳ１０９）。この処理は、タービン項目の確認をする旨のテキストデータ、例えば、「タービンの確認をしてください」等のテキストデータを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、例えば、「タービンの確認をしてください」という音声がスピーカ１１３から出力される。
【００３９】
そのような音声、前述した例でいうと「タービンの確認をしてください」という音声に応じて、引き継ぎをしようとする監視者は、操作盤１０７によって了解指定をする（ステップＳ１１０）。つまり、操作盤１０７の了解ボタンを押下、クリック、タッチする。演算装置１０６は、そのような了解指定ありを判定すると（ステップＳ１１０のＹ）、ステップＳ１０２で抽出した引き継ぎ用項目のうち、タービンについての図２〜図４に示す基準データファイル２０１のデータに基づく音声読み上げを実行する（ステップＳ１１１）。音声読み上げは、演算装置１０６が、基準データファイル２０１に含まれているタービンについてのテキストデータ２０１ｂ及び基準値２０１ｃを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、タービンの各部の項目名に続いてその基準値が読み上げられることになる。
【００４０】
しかも、演算装置１０６は、ステップＳ１１１の音声読み上げ処理に際して、音声出力装置１０９による音声出力に同期させて、表示盤１０８に表示されているセンシング値を強調表示する処理を実行する。つまり、音声出力装置１０９によって読み上げられている監視項目が、表示盤１０８の表示化面上で強調表示されるわけである。強調表示は、例えば他の監視項目と色を変える、太さを変える、点滅させる、アンダーラインを引く等、公知の各種の手法によって実行することができる。
【００４１】
そこで、引継ぎをしようとする監視者は、音声出力装置１０９が音声出力するタービンについての各項目の基準値を耳で聞き、表示盤１０８に表示されているタービンについての各項目のセンシング値（図７（ａ）〜（ｄ）及び図８（ａ）〜（ｅ）参照）を目で見て、基準値とセンシング値とを照合させることができる。
【００４２】
これに対して、監視者は、タービンの各部のセンシング値の確認作業を自力で行なう等の理由で、タービンについての基準値の読み上げが不要であると思えば、ステップＳ１０９のタービン項目の確認をする旨の音声報知の実行後、操作盤１０７上でスキップボタンを押下する。これにより、演算装置１０６はスキップ指定を判定し（ステップＳ１１２のＹ）、ステップＳ１１１の読み上げ処理をスキップする。
【００４３】
ステップＳ１１１又はステップＳ１１２に続いて演算装置１０６が実行する処理は、音声出力装置１０９を駆動制御し、電気項目の確認をする旨の音声報知を実行させる処理である（ステップＳ１１３）。この処理は、電気項目の確認をする旨のテキストデータ、例えば、「電気の確認をしてください」等のテキストデータを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、例えば、「電気の確認をしてください」という音声がスピーカ１１３から出力される。
【００４４】
そのような音声、前述した例でいうと「電気の確認をしてください」という音声に応じて、引き継ぎをしようとする監視者は、操作盤１０７によって了解指定をする（ステップＳ１１４）。つまり、操作盤１０７の了解ボタンを押下、クリック、タッチする。演算装置１０６は、そのような了解指定ありを判定すると（ステップＳ１１４のＹ）、ステップＳ１０２で抽出した引き継ぎ用項目のうち、電気についての図２〜図４に示す基準データファイル２０１のデータに基づく音声読み上げを実行する（ステップＳ１１５）。音声読み上げは、演算装置１０６が、基準データファイル２０１に含まれている電気についてのテキストデータ２０１ｂ及び基準値２０１ｃを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、電気の各部の項目名に続いてその基準値が読み上げられることになる。
【００４５】
しかも、演算装置１０６は、ステップＳ１１５の音声読み上げ処理に際して、音声出力装置１０９による音声出力に同期させて、表示盤１０８に表示されているセンシング値を強調表示する処理を実行する。つまり、音声出力装置１０９によって読み上げられている監視項目が、表示盤１０８の表示化面上で強調表示されるわけである。強調表示は、例えば他の監視項目と色を変える、太さを変える、点滅させる、アンダーラインを引く等、公知の各種の手法によって実行することができる。
【００４６】
そこで、引継ぎをしようとする監視者は、音声出力装置１０９が音声出力する電気についての各項目の基準値を耳で聞き、表示盤１０８に表示されているタービンについての各項目のセンシング値（図９（ａ）〜（ｂ）参照）を目で見て、基準値とセンシング値とを照合させることができる。
【００４７】
これに対して、監視者は、電気の各部のセンシング値の確認作業を自力で行なう等の理由で、電気についての基準値の読み上げが不要であると思えば、ステップＳ１１３の電気項目の確認をする旨の音声報知の実行後、操作盤１０７上でスキップボタンを押下する。これにより、演算装置１０６はスキップ指定を判定し（ステップＳ１１６のＹ）、ステップＳ１１５の読み上げ処理をスキップする。
【００４８】
その後、演算装置１０６は、音声出力装置１０９による未読項目の有無確認をする（ステップＳ１１７）。未読項目は、操作盤１０７によるスキップ指定判定（ステップＳ１０８のＹ、ステップＳ１１２のＹ、ステップＳ１１６のＹ）があれば発生する。演算装置１０６は、未読項目なしを判定すれば（ステップＳ１１８のＮ）、操作盤１０７による確認指定に待機する（ステップＳ１１９）。これに対して、未読項目ありを判定すると（ステップＳ１１８のＹ）、演算装置１０６は、音声出力装置１０９を駆動制御し、未読項目についての読み上げをするかどうかを問う音声ガイダンスを流す（ステップＳ１２０）。つまり、そのような音声ガイダンスについてのテキストデータ、例えば、「読み上げられていない項目があります。読み上げますか。」等のテキストデータを音声出力装置１０９が処理可能なデータに変換し、これを音声出力装置１０９に入力することによって実行される。音声出力装置１０９は、そのような入力データに応じた音声データを音声合成ＬＳＩ１１０が生成し、これをデジタルアナログ変換器１１１がアナログ信号化し、これを増幅器１１２で増幅してスピーカ１１３から音声出力させる。その結果、例えば、「読み上げられていない項目があります。読み上げますか。」という音声がスピーカ１１３から出力される。
【００４９】
そのような音声、前述した例でいうと「読み上げられていない項目があります。読み上げますか。」という音声に応じて、引き継ぎをしようとする監視者は、読み上げを希望する場合には了解ボタン、希望しない場合にはスキップボタンを、操作盤１０７上で押下、クリック、タッチする。演算装置１０６は、了解ボタンの押下、クリック、タッチによる了解指定を判定すると（ステップＳ１２１のＹ）、音声出力装置１０９に未読項目の音声読み上げを実行させる（ステップＳ１２２）。これに対して、演算装置１０６は、スキップボタンの押下、クリック、タッチによるスキップ指定を判定すると（ステップＳ１２３のＹ）、ステップＳ１２２の処理をスキップする。
【００５０】
図１１は、実行中の音声読み上げを停止させるための停止指定を行なう停止ボタンが押下された場合の処理の流れを示すフローチャートである。前述したように、演算装置１０６は、その記憶部１０６ｂに、図１１に示すフローチャートの処理を情報処理部１０６ａに実行させるコンピュータプログラムを記憶している。そこで、情報処理部１０６ａは、記憶部１０６ｂに記憶されているコンピュータプログラムに従い図１１に示すフローチャートの処理を実行する。
【００５１】
ここで、演算装置１０６は、ステップＳ１０７、ステップＳ１１１、ステップＳ１１５及びステップＳ１２２の読み上げ処理に際して、操作盤１０７での操作入力による停止指定の有無を判定する（ステップＳ２０１）。停止指定は、前述したように、操作盤１０７上での停止ボタンの押下、クリック、タッチによってなされる。演算装置１０６は、停止指定を判定すると（ステップＳ２０１のＹ）、実行中の音声読み上げを停止する（ステップＳ２０２）。
【００５２】
演算装置１０６は、操作盤１０７上での再開ボタンの押下、クリック、タッチによってなされる再開指定を判定すると（ステップＳ２０３のＹ）、表示盤１０８上でのカーソル位置を取り込む（ステップＳ２０４）。つまり、演算装置１０６は、表示盤１０８上に、操作盤１０７での操作入力によって指示箇所を変更可能なようにカーソル（図示せず）を表示出力させている。ステップＳ１０４の処理は、このようなカーソルの位置、より詳細には、カーソルが指し示しているプラントの各部項目の位置を取得する処理である。その後、演算装置１０６は、ステップＳ２０５で取得したカーソルが指し示すプラントの各部項目から音声読み上げを再開する（ステップＳ２０５）。
【００５３】
したがって、引継ぎをしようとする監視者は、操作盤１０７上でのカーソル位置を設定するだけで、音声読み上げを所望の監視項目から続行させることができる。
【００５４】
引継ぎをしようとする監視者は、最終確認をする場合には操作盤１０７上で確認ボタンを押下、クリック、タッチする。これにより、演算装置１０６は、確認指定を判定し（ステップＳ１１９）、オペレータ日誌への書き込み処理を実行する（ステップＳ１２４）。
【００５５】
図１２は、表示盤１０８に表示されるオペレータ日誌の一例を示す模式図である。図１２に示すように、オペレータ日誌には、各監視者が自分の担当監視時間中に生じた様々な事象や、引継ぎを行なうに際しての申し送り事項が記入されている。
【００５６】
演算装置１０６は、操作盤１０７によって様々な事象や申し送り事項を自由に記入できるようにオペレータ日誌を表示盤１０８に表示する。
【００５７】
以上説明したように、本実施の形態によれば、引継ぎをしようとする監視者は、音声出力装置１０９が音声出力するプラントの各監視項目の基準値を耳で聞き、表示盤１０８に表示されている当該監視項目についてのセンシング値（図５〜図９参照）を目で見て、基準値とセンシング値とを照合させることができる。これにより、各監視項目のセンシング値と基準値との照合作業を支援することができ、監視者の作業負担を和らげることができる。また、センシング値を読み上げなければならない等の作業負担を監視者に負わせないようにすることができるので、この面からも監視者の作業負担を和らげることができる。そして、監視者の作業負担の軽減は、結果的に、監視漏れ等のミスの軽減という効果も生じさせる。
【００５８】
また、図５〜図９に示すように、本実施の形態のプラントでは、監視項目が多岐に渡っている。そこで、演算装置１０６は、表示盤１０８の一画面に収まりきらないセンシング値を順に表示するようにその表示を状態遷移させている。そして、音声出力装置１０９による音声出力も、表示盤１０８での表示の状態遷移に同期させている。これにより、多岐に渡る監視項目についても、ステップＳ１０７、ステップＳ１１１、ステップＳ１１５及びステップＳ１２２で実行される画面表示と合致した基準値の読み上げ処理を不都合なく遂行することができる。
【００５９】
また、演算装置１０６は、ステップＳ１０７、ステップＳ１１１、ステップＳ１１５及びステップＳ１２２の音声読み上げ処理に際して、音声出力装置１０９による音声出力に同期させて、表示盤１０８に表示されているセンシング値を強調表示する処理を実行する。これにより、音声出力装置１０９によって読み上げられている監視項目が、表示盤１０８の表示化面上で強調表示される。したがって、各監視項目のセンシング値と基準値との照合作業が益々容易となる。
【図面の簡単な説明】
【００６０】
【図１】本発明の実施の一形態を示すプラント監視業務引き継ぎ支援装置及びその周辺機器のブロック図である。
【図２】記憶部に記憶されているプラント（ボイラ）の各部についての基準値のデータを例示する模式図である。
【図３】記憶部に記憶されているプラント（タービン）の各部についての基準値のデータを例示する模式図である。
【図４】記憶部に記憶されているプラント（電気系）の各部についての基準値のデータを例示する模式図である。
【図５】表示盤（表示装置）に表示されるプラント（ボイラ）の各部のセンシング値の表示例（その一）を示す模式図である。
【図６】表示盤（表示装置）に表示されるプラント（ボイラ）の各部のセンシング値の表示例（その二）を示す模式図である。
【図７】表示盤（表示装置）に表示されるプラント（タービン）の各部のセンシング値の表示例（その一）を示す模式図である。
【図８】表示盤（表示装置）に表示されるプラント（タービン）の各部のセンシング値の表示例（その二）を示す模式図である。
【図９】表示盤（表示装置）に表示されるプラント（電気系）の各部のセンシング値の表示例を示す模式図である。
【図１０】演算装置が実行する引き継ぎ支援処理の流れを示すフローチャートである。
【図１１】停止ボタンが押下された場合の処理の流れを示すフローチャートである。
【図１２】表示盤（表示装置）に表示されるオペレータ日誌の一例を示す模式図である。
【符号の説明】
【００６１】
１０４  センサ
１０７  操作盤（操作装置）
１０８  表示盤（表示装置）
１０９  音声出力装置
１１０  音声合成ＬＳＩ（音声合成回路）
１１３  スピーカ
【図１】
2007272521.tif 000003
【図２】
2007272521.tif 000004
【図３】
2007272521.tif 000005
【図４】
2007272521.tif 000006
【図５】
2007272521.tif 000007
【図６】
2007272521.tif 000008
【図７】
2007272521.tif 000009
【図８】
2007272521.tif 000010
【図９】
2007272521.tif 000011
【図１０】
2007272521.tif 000012
【図１１】
2007272521.tif 000013
【図１２】
2007272521.tif 000014